(57)【要約】【課題】同調周波数がリーダライタの同調周波数と異なるICカードを用いてもヌルポイントが発生しないようにする。【解決手段】  ICカード回路６１のコンデンサＣcrの無変調時の容量を、同調周波数が、リーダライタの同調周波数と同じ周波数となるときの容量Ｃ0と容量Ｃaを加算した結果得られる容量とし、コンデンサＣcrの変調時の容量を、容量Ｃ0と、容量Ｃaを変調係数αで除算した値とを加算した結果得られる容量とする。その結果、同調周波数がリーダライタの同調周波数と異なるICカードを用いてもヌルポイントが発生しないようにすることができる。【選択図】図１３
2007060135.tif 000002
【特許請求の範囲】
【請求項１】
負荷変調方式により他の通信装置とデータ通信を行う通信装置において、
可変抵抗と可変コンデンサを含む、前記他の通信装置の第1の同調周波数と異なる第2の同調周波数を有する同調回路を備え、
前記負荷変調は、前記可変抵抗の抵抗値を、第1の抵抗値に変調係数を乗算した結果得られる第2の抵抗値にすることによって行われ、
無変調時の前記可変コンデンサの容量は、前記同調回路の同調周波数が前記第1の同調周波数と同じ周波数となるときの第1の容量と第2の容量を加算して得られる容量であり、
変調時の前記可変コンデンサの容量は、前記第1の容量と、前記第2の容量を前記変調係数で除算した結果得られる容量を加算して得られる容量である
ことを特徴とする通信装置。
【発明の詳細な説明】
【技術分野】
【０００１】
本発明は、通信装置に関し、特に、例えば、ICシステムを構成するICカードの同調周波数が、ICシステムを構成するリーダライタの同調周波数と異なる場合においても、ヌルポイントが発生しないようにする通信装置に関する。
【背景技術】
【０００２】
近年、駅の改札機、セキュリティシステム、電子マネーシステム等の分野において、非接触IC(Integrated Circuit)カードを用いたICカードシステムが普及し始めている。
【０００３】
このICカードシステムは、例えば、ICカードとリーダライタ(Reader/Writer)とから構成され、リーダライタは電磁波を発生することにより、いわゆるRF(Radio Frequency)フィールド（磁界）を形成する。ICカードは、リーダライタに近づけられることにより、電磁誘導によって、電源の供給を受けるとともにリーダライタとの間でデータ伝送を行う。
【０００４】
リーダライタおよびICカードには、電磁波の送受信等を行うためのアンテナが設けられ、その電気特性として共振周波数（同調周波数）が存在する。
【０００５】
ICカードの共振周波数（同調周波数）が、リーダライタの共振周波数（同調周波数）（例えば、13.56MHz）と同じ周波数のとき、ICカードとリーダライタの通信効率と電力供給効率が最も高くなるので、ICカードの同調周波数は、リーダライタの同調周波数と同じになされている場合が多い。
【０００６】
しかしながら、複数枚重ねられて利用され得るアンチコリジョン対応のICカードの場合、その同調周波数を、リーダライタの同調周波数と同じ周波数にすると、ICカードが複数枚重ねられることにより形成される各ICカード内のループアンテナにおける相互インダクタンスにより、各ICカードの同調周波数が低くなり、通信効率等が低下する。そこでこの問題点を回避するために、ICカードの同調周波数をリーダライタの同調周波数と比較して高くしておくことが提案されている（特許文献１参照）。
【０００７】
【特許文献１】特開2001-307039号公報
【発明の開示】
【発明が解決しようとする課題】
【０００８】
ところで、同調周波数がリーダライタの同調周波数より高いICカード（同調周波数がリーダライタの同調周波数と異なるICカード）を１枚で利用した場合、図１に示すように、リーダライタとICカードの距離が、ICカードを駆動するのに十分に近い距離（＜距離ｄ2）においてもICカードからの伝送データがリーダライタに適切に伝送されない距離（以下、ヌルポイントと称する）（距離ｄ1）が存在する。
【０００９】
すなわち同調周波数がリーダライタの同調周波数と異なるICカードを用いたICカードシステム（以下、適宜、アンチコカードシステムと称する）においては、ICカードを駆動するのに十分な距離においてもICカードからの伝送データがリーダライタに適切に伝送されず、データ通信が途絶えてしまうときがあった。
【００１０】
なお同調周波数がリーダライタの同調周波数と同じICカードを用いたICカードシステム（以下、適宜、フルカードシステムと称する）においては、ヌルポイントは発生しない。
【００１１】
本発明は、このような状況に鑑みてなされたものであり、アンチコカードシステムにおいてもヌルポイントが発生しないようにするものである。
【課題を解決するための手段】
【００１２】
本発明の一側面は、可変抵抗と可変コンデンサを含む、前記他の通信装置の第1の同調周波数と異なる第2の同調周波数を有する同調回路を備え、前記負荷変調は、前記可変抵抗の抵抗値を、第1の抵抗値に変調係数を乗算した結果得られる第2の抵抗値にすることによって行われ、無変調時の前記可変コンデンサの容量は、前記同調回路の同調周波数が前記第1の同調周波数と同じ周波数となるときの第1の容量と第2の容量を加算して得られる容量であり、変調時の前記可変コンデンサの容量は、前記第1の容量と、前記第2の容量を前記変調係数で除算した結果得られる容量を加算して得られる容量であることを特徴とする。
【発明の効果】
【００１３】
本発明の一側面によれば、例えば、同調周波数がリーダライタの同調周波数と異なるICカードを用いてもヌルポイントが発生しないようにすることができる。
【発明を実施するための最良の形態】
【００１４】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１５】
本発明の一側面の通信装置は、可変抵抗と可変コンデンサを含む、前記他の通信装置の第1の同調周波数と異なる第2の同調周波数を有する同調回路（例えば、図１３のICカード回路６１）を備え、
前記負荷変調は、前記可変抵抗の抵抗値を、第1の抵抗値（例えば、Ｒ0）に変調係数（例えば、α）を乗算した結果得られる第2の抵抗値にすることによって行われ、
無変調時の前記可変コンデンサの容量は、前記同調回路の同調周波数が前記第1の同調周波数と同じ周波数となるときの第1の容量（例えば、Ｃ0（式（１３））と第2の容量（例えば、Ｃa（式（１３））を加算して得られる容量であり、
変調時の前記可変コンデンサの容量は、前記第1の容量と、前記第2の容量を前記変調係数で除算した結果得られる容量（例えば、Ｃa／α（式（２２））を加算して得られる容量である
ことを特徴とする。
【００１６】
本発明を適用したICカードについて説明する前に、
・フルカードシステム（同調周波数がリーダライタの同調周波数と同じICカードを用いたICカードシステム）においてヌルポイントが存在しない理由
・アンチコカードシステム（同調周波数がリーダライタの同調周波数と異なるICカードを用いたICカードシステム）においてヌルポイントが存在する理由（図１）
について説明する。
【００１７】
はじめにフルカードシステムにおいてヌルポイントが存在しない理由について説明する。
【００１８】
図２は、ICカードシステムを構成するリーダライタ１およびICカード２の内部回路の構成例を示している。
【００１９】
リーダライタ１の内部に設けられた回路（以下、リーダライタ回路と称する）１１と、ICカード２の内部に設けられた回路（以下、ICカード回路と称する）１２は、それぞれ設けられたコイルＬrとコイルＬcの位置関係（距離）等に基づいて決定される結合係数kにより、電気回路的に結合している。
【００２０】
ICカード２からリーダライタ１へのデータ通信は、キャリア周波数（例えば、13.56MHz）を用いた負荷変調方式により行われる。
【００２１】
リーダライタ回路１１では、キャリア信号源２１によって、例えば13.56MHzの交流信号が生成され、これが抵抗Ｒr、コンデンサＣr、およびコイルＬrからなる共振回路（共振周波数が13.56MHzの共振回路）を介して昇圧される。これにより、この共振回路のコイルＬrに流れる交流信号に応じた交代磁界ＨがコイルＬrから空中へ輻射される。
【００２２】
リーダライタ１は、コイルＬrに流れるICカード２での負荷変調に応じた電流ｉ3（負荷変調信号）の振幅の変化を検知し、その検出結果に基づいて、ICカード２からの伝送データを復調する。
【００２３】
ICカード２のICカード回路１２では、リーダライタ１により発生された交代磁界Ｈに応じてコイルＬcに誘起された電圧が、内部の整流回路（図示せず）によって整流され、これがICカード２の駆動電力となる。これによりICカード２は、バッテリーレスで動作することができる。
【００２４】
ICカード回路１２ではまた、抵抗Ｒcの抵抗値をＲ0またはαＲ0（0＜α，α≠1）に変化させることにより、電気回路的に結合しているリーダライタ回路１１の電流ｉ3を変化させる（負荷変調が行われる）。
【００２５】
図２に示したリーダライタ回路１１とICカード回路１２からは、キルヒホッフの法則から式（１）が成立する。
【００２６】
【数１】
2007060135.tif 000003
【００２７】
式（１）中、Ｍは、コイルＬｒとコイルＬcの相互リアクタンスであり、式（２）で表される。式（２）中のkは、リーダライタ回路１１とICカード回路１２との結合係数であるが、両者の距離に対応するパラメータであるので、両者の距離として取り扱うことができる。−1≦k≦1であり、k＝±1で距離が０であることを意味し、k＝０で距離が無限大であることを意味する。
【００２８】
【数２】
2007060135.tif 000004
【００２９】
また式（１）中、ｗは、２π×同調周波数（共振周波数）（例えば、13.56MHz）であり、いまの場合、ICカード２の同調周波数は、リーダライタ１の同調周波数（通信周波数）と同じあるので、ｗを式（３）とすると、式（４）に示す電流ｉ3が得られる。
【００３０】
【数３】
2007060135.tif 000005
【００３１】
【数４】
2007060135.tif 000006
【００３２】
式（４）中のＱrは、式（５）で表され、式（５）中のＲpは、式（６）で表される。ま
た式（４）中のＱcは、式（７）で表される。
【００３３】
【数５】
2007060135.tif 000007
【００３４】
【数６】
2007060135.tif 000008
【００３５】
【数７】
2007060135.tif 000009
【００３６】
ここで式（４）に、Ｒc＝Ｒ0とＲc＝αＲ0をそれぞれ代入して、無変調時（Ｒc＝Ｒ0）の電流ｉ3と変調時（Ｒc＝αＲ0）の電流ｉ3とを求めるとともに、式（８）に示すように、両者の絶対値の差分を求めると、式（８）のＲcの変化に対応する項は、式（９）で表すことができる。
【００３７】
【数８】
2007060135.tif 000010
【００３８】
【数９】
2007060135.tif 000011
【００３９】
リーダライタ１は、ICカード２での負荷変調による電流ｉ3（負荷変調信号）の振幅の変化を検知してICカード２からの伝送データを復調することから、無変調時と変調時の電流ｉ3の振幅（絶対値）に差異が生じなければ、伝送データを復調することができない。すなわち無変調時と変調時の電流ｉ3の振幅に差異が生じない距離（k）がヌルポイントとなるので、式（８）＝０が成立する実数のkが存在すれば、ヌルポイントが存在することになる。
【００４０】
そこで式（８）＝０、すなわち式（９）＝０とすると、式（１０）に示すkが得られるが、この場合、０＜k2となり（kが虚数となり）、実数のkは存在しない。すなわちヌルポイントは存在しない。
【００４１】
【数１０】
2007060135.tif 000012
【００４２】
以上のように、フルカードシステム（同調周波数がリーダライタの同調周波数と同じICカードを用いたICカードシステム）においては、ヌルポイントが存在しない。
【００４３】
図３は、図４に示すようにリーダライタ回路１１とICカード回路１２の各パラメータが設定され、リーダライタ１の同調周波数とICカード２の同調周波数がともに13.56MHzである場合の（式（１１））、0≦k≦1の電流ｉ3の距離特性を示している。
【００４４】
【数１１】
2007060135.tif 000013
【００４５】
図３中、実線の曲線Ａは、抵抗Ｒcの抵抗値がＲ0（＝30kΩ）であるときの電流ｉ3（無変調時の電流ｉ3）の絶対値を示し、点線の曲線Ｂは、抵抗Ｒcの抵抗値がαＲ0（＝45Ω=0.0015×30kΩ）であるときの電流ｉ3（変調時の電流ｉ3）の絶対値を示している。
【００４６】
図５は、図３に示した無変調時の電流ｉ3（曲線Ａ）と変調時の電流ｉ3（曲線Ｂ）の差分を表している。すなわち両者の差分は、ｋ＝０（距離＝無限大）のとき以外にゼロとなるときはなく、ヌルポイントは存在しない。
【００４７】
このようにフルカードシステムにおいてヌルポイントが存在しないが、ここで、この現象を、リーダライタ１に流れる電流のベクトル空間において表す。
【００４８】
ここではICカードシステムを、図６Ａに示すように、リーダライタ１とICカード２との相互誘導による系ではなく、リーダライタ１のコイルＬrを単独のアンテナとして捉えると、そこにはICカード２からの電磁波の反射波が入射されることから、図６Ｂに示すように、ICカード２の存在を、単独に存在するリーダライタ１のアンテナＬrに入射する反射波と捉えた通信モデルで表す。
【００４９】
図７は、図６Ｂに示す通信モデルにおけるアンテナＬrに流れる電流を、ベクトルで模式化して表したものである。
【００５０】
図７中、ベクトルｌfreeは、反射波がない場合にリーダライタ１のアンテナＬrに流れる電流のベクトルであり、その大きさおよび方向は一定である。ベクトルｌrefは、反射波により誘起させる電流のベクトルである。
【００５１】
ベクトルｌrwは、実際にリーダライタ１のアンテナＬrに流れる電流（電流ｉ3）のベクトルであり、ベクトルｌfreeとベクトルｌrefとの和となる。ICカード２が変調をかけた場合には反射波のベクトルｌrefが変化するので、それによりリーダライタ１に流れる電流ｉ3のベクトルｌrwも変化する。
【００５２】
すなわちベクトルｌrwの絶対値が変調時および無変調時によって変わらなければ、つまり、図８Ａに示すように、無変調時の電流ｉ3のベクトルｌrwの絶対値を半径とする円Ｒ上に変調時の電流ｉ3のベクトルｌrwが乗れば、無変調時および変調時の電流ｉ3の絶対値に差が生じないことを意味するので、ヌルポイントが存在することになる。
【００５３】
フルカードシステムの場合、上述したように、0<k<1において、式（８）≠0となり、変調時および無変調時のリーダライタ１のアンテナＬrに流れる電流ｉ3の振幅差はゼロにならないので（両者に差が生じるので）、図８Ｂに示すように、変調時おける電流ｉ3のベクトルｌrwが、無変調時における電流ｉ3のベクトルｌrwの絶対値を半径とする円Ｒ上に乗ることはなく、かつ、必ずその円Ｒの外側（もしくは内側）に存在し、かつそれが全てのkに対して成り立つ。
【００５４】
次に、アンチコカードシステム（同調周波数がリーダライタの同調周波数と異なるICカードを用いたICカードシステム）においてにヌルポイントが存在する理由について説明する。
【００５５】
いまの場合、式（１２）に示すように、リーダライタ１の同調周波数と同じ共振周波数が得られるＣ0を決定し、ICカード２のＣc（図２）を、式（１３）に示すように、Ｃ0とＣaを加算した結果得られるものとすると、式（１）から式（１４）に示す電流ｉ3を得ることができる。
【００５６】
【数１２】
2007060135.tif 000014
【００５７】
【数１３】
2007060135.tif 000015
【００５８】
【数１４】
2007060135.tif 000016
【００５９】
式（１４）中のＱrは、式（５）で表され、式（５）中のＲpは、式（６）で表される。また式（１４）中のＱcは、式（７）で表される。
【００６０】
ここで式（１４）に、Ｒc＝Ｒ0とＲc＝αＲ0をそれぞれ代入して、無変調時の電流ｉ3と変調時の電流ｉ3を求めるとともに、式（８）に示すように、両者の絶対値の差分を求めると、この場合の式（８）のＲcの変化に対応する項は、式（１５）で表すことができる。
【００６１】
【数１５】
2007060135.tif 000017
【００６２】
無変調時と変調時の電流ｉ3の絶対値に差異が生じない距離（k）がヌルポイントとなるので、式（８）＝０が成立する実数のkが存在すれば、ヌルポイントが存在することになる。
【００６３】
そこで式（８）＝０、すなわち式（１５）＝０とすると、式（１６）に示すように、０＜k＜１となる可能性があり、実数のkが存在し得る。すなわちヌルポイントが存在する。
【００６４】
【数１６】
2007060135.tif 000018
【００６５】
以上のように、ICカード２の同調周波数がリーダライタ１の同調周波数と異なる場合、ヌルポイントが存在する（図１）。
【００６６】
図９は、図１０に示すようにリーダライタ回路１１とICカード回路１２の各パラメータが設定され、リーダライタ１の同調周波数が13.56MHzで、ICカード２の同調周波数17.1MHzである場合の（式（１７））、0≦k≦1の電流ｉ3の距離特性を示している。
【００６７】
【数１７】
2007060135.tif 000019
【００６８】
図９中、実線の曲線Ａは、抵抗Ｒcの抵抗値がＲ0（＝30kΩ）であるときの電流ｉ3（無変調時の電流ｉ3）の絶対値を示し、点線の曲線Ｂは、抵抗Ｒcの抵抗値がαＲ0（＝45Ω=0.0015×30kΩ）であるときの電流ｉ3（変調時の電流ｉ3）の絶対値を示している。
【００６９】
図１１は、図９に示した無変調時の電流ｉ3（曲線Ａ）と変調時の電流ｉ3（曲線Ｂ）の差分を表している。すなわちｋpのとき、すなわちリーダライタ１とICカード２との距離がｋpに対応する距離であるとき、無変調時の電流ｉ3の絶対値（曲線Ａ）＝変調時の電流ｉ3の絶対値（曲線Ｂ）となり、ヌルポイントとなる（図１）。
【００７０】
このようにアンチコカードシステムにおいてヌルポイントが存在するが、ここで、この現象を、リーダライタ１に流れる電流のベクトル空間において表す。
【００７１】
アンチコカードシステムの場合は、式（１６）より、特定のk（ｋp）において、変調時と無変調時のリーダライタ１のアンテナＬrに流れる電流ｉ3の振幅の絶対値の差がゼロになるので、図１２に示すように、αを変化させたときのベクトルｌrwの軌跡Ｗが無変調時におけるベクトルｌrwの絶対値を半径とする円Ｒと交わる。
【００７２】
すなわちα（変調係数）が所定の値の場合、ヌルポイントが発生することがわかる。
【００７３】
次に、図１３を参照して、上述したヌルポイントについての解析結果を基に、本発明を適用した、アンチコカードシステムにおいて利用されるICカード５１について説明する。
【００７４】
ここで、アンチコカードシステムにおけるベクトルｌfreeの電流（電流ｉ3）は、反射波の影響を全く受けない場合の電流に相当するので、リーダライタ１とICカード５１との距離が無限大であることを意味するｋ＝０を、式（１４）に代入すれば得ることができ、式（１８）に示すように表すことができる。
【００７５】
【数１８】
2007060135.tif 000020
【００７６】
すなわちアンチコカードシステムにおける電流ｉ3のベクトルｌrwは、ベクトルｌfreeとベクトルｌrefとの和であることから、式（１４）と式（１８）とから、式（１９）で表すことができる。
【００７７】
【数１９】
2007060135.tif 000021
【００７８】
一方フルカードシステムにおける電流ｉ3のベクトルｌrwも、ベクトルｌfreeとベクトルｌrefとの和であることから、式（４）と式（１８）とから、式（２０）に示すように表すことができる。
【００７９】
【数２０】
2007060135.tif 000022
【００８０】
ここでアンチコカードシステムとフルカードシステムの反射波のベクトルｌrefを比較すると（式（１９）、式（２０））、アンチコカードシステムのベクトルｌrefの分母には、式（２１）に示す部分がさらに加算されているので、式（２１）で表される部分がヌルポイント発生の要因と考えられる。
【００８１】
【数２１】
2007060135.tif 000023
【００８２】
すなわち本発明によれば、式（２１）の値を変調時に１／αして、式（２１）の値が、式（２１）の値がα（変調係数）によって変動しないようにすることで、ヌルポイントが発生しないようにするものである。具体的には、可変コンデンサＣcｒの容量が、変調時には、式（２２）を満たすように変更される。
【００８３】
【数２２】
2007060135.tif 000024
【００８４】
なお式（１６）中のＣaにＣa／αを代入すると、式（２３）が得られることから、ヌルポイントが発生しないようにするためには、コンデンサＣcrの容量を、Ｃ0＋Ｃa／αにするとともに、式（２３）＜０となり、実数のｋが存在しないようにすることが必要である。
【００８５】
【数２３】
2007060135.tif 000025
【００８６】
Ca<0の場合、式（２３）の分子＜0となるので、式（２３）の分母＞0となると、k2が負となりヌルポイントは発生しない。そこで式（２３）の分母の符号に関係するのは、(α＋1)C0＋２Caの部分であるので、分母＞0となるαの条件は、式（２４）を満たすこととなる。
【００８７】
【数２４】
2007060135.tif 000026
【００８８】
またαは、常に正であるので、式（２４）の右辺<0であれば式（２４）は常に成立し、その条件は、式（２５）を満たすこととなる。
【００８９】
【数２５】
2007060135.tif 000027
【００９０】
一方Ca>0の場合、式（２３）の分母>0であるので、式（２３）の分子<0となることが必要であり、その条件は、式（２６）を満たすこととなる。
【００９１】
【数２６】
2007060135.tif 000028
【００９２】
よって、上記の条件において負荷変調時の同調コンデンサＣcrの容量を変化させるとヌルポイントを発生しないカードシステムが実現する。
【００９３】
ICカード５１の構成例について説明する。
【００９４】
ICカード回路６１には、図２に示すICカード回路１２に示すコンデンサＣc（固定コンデンサ）に変えて、可変コンデンサＣcrが設けられている。この可変コンデンサＣcrの容量は、（Ｃ0＋Ｃa）または（Ｃ0＋Ｃa／α）となる。
【００９５】
制御部６２は、伝送するデータに応じて抵抗Ｒcの抵抗値をＲ0またはαＲ0に変化させて負荷変調を制御する。制御部６２はまた、可変コンデンサＣcrの容量を、抵抗Ｒcの抵抗値をＲ0としたときには、（Ｃ0＋Ｃa）とし、抵抗Ｒcの抵抗値をαＲ0としたときには、（Ｃ0＋Ｃa／α）とする。
【００９６】
なお、本実施の形態では、本発明をICカードシステムに適用した場合について説明したが、本発明は、その他、例えば、ICカードの機能を有するICチップや、そのICチップを内蔵する携帯電話機その他の近接通信を行う装置に適用可能である。
【００９７】
また、本発明の実施の形態は、上述した実施の形態に限定されるものではなく、本発明の要旨を逸脱しない範囲において種々の変更が可能である。
【図面の簡単な説明】
【００９８】
【図１】ヌルポイントを説明する図である。
【図２】リーダライタ回路１１とICカード回路１２の構成例を示すブロック図である。
【図３】ICカードの同調周波数がリーダライタの同調周波数と同じである場合の無変調時および変調時の負荷変調信号を示す図である。
【図４】図２のリーダライタ回路１１とICカード回路１２のパラメータの設定値の例を示す図である。
【図５】ICカードの同調周波数がリーダライタの同調周波数と同じ場合の無変調時および変調時の負荷変調信号の差分を示す図である。
【図６】ICカードシステムの通信モデルを示す図である。
【図７】図６の通信モデルをベクトルで模式化した図である。
【図８】図６の通信モデルをベクトルで模式化した他の図である。
【図９】ICカードの同調周波数がリーダライタの同調周波数と異なる場合の無変調時および変調時の負荷変調信号を示す図である。
【図１０】図２のリーダライタ回路１１とICカード回路１２のパラメータの他の設定値の例を示す図である。
【図１１】ICカードの同調周波数がリーダライタの通信周波数と異なる場合の無変調時および変調時の負荷変調信号の差分を示す図である。
【図１２】図６の通信モデルをベクトルで模式化した他の図である。
【図１３】本発明を適用したICカードの構成例を示すブロック図である。
【符号の説明】
【００９９】
１  リーダライタ，  ５１  ICカード，  ６１  ICカード回路，  ６２  制御部
【図１】
2007060135.tif 000029
【図２】
2007060135.tif 000030
【図３】
2007060135.tif 000031
【図４】
2007060135.tif 000032
【図５】
2007060135.tif 000033
【図６】
2007060135.tif 000034
【図７】
2007060135.tif 000035
【図８】
2007060135.tif 000036
【図９】
2007060135.tif 000037
【図１０】
2007060135.tif 000038
【図１１】
2007060135.tif 000039
【図１２】
2007060135.tif 000040
【図１３】
2007060135.tif 000041